(57)【要約】【課題】動画像調整処理における調整の程度をユーザに適切に設定させることを可能とする。【解決手段】動画像表示装置は、動画像データに対する所定の動画像調整処理を行う動画像調整手段と、動画像調整処理後の動画像データに基づき動画像を表示する動画像表示手段と、動画像調整処理における調整の程度を指定するための調整指定を入力する調整指定入力手段と、入力された調整指定に応じて、動画像調整処理に用いられるパラメータ値を設定するパラメータ値設定手段と、所定のサンプル動画像を表示するためのサンプル動画像データを格納するサンプル画像格納手段とを備える。調整指定入力手段が調整指定を入力したとき、動画像調整手段はサンプル動画像データに対してパラメータ値設定手段により設定されたパラメータ値を用いた所定の動画像調整処理を行う。また、動画像表示部は、動画像調整処理後のサンプル動画像データに基づき動画像を表示する。【選択図】図１２
2007240735.tif 000002
【特許請求の範囲】
【請求項１】
動画像表示装置であって、
動画像データに対する所定の動画像調整処理を行う動画像調整手段と、
前記所定の動画像調整処理後の動画像データに基づき動画像を表示する動画像表示手段と、
前記所定の動画像調整処理における調整の程度を指定するための調整指定を入力する調整指定入力手段と、
入力された前記調整指定に応じて、前記所定の動画像調整処理に用いられるパラメータ値を設定するパラメータ値設定手段と、
所定のサンプル動画像を表示するためのサンプル動画像データを格納するサンプル画像格納手段と、を備え、
前記調整指定入力手段が前記調整指定を入力したとき、前記動画像調整手段は前記サンプル動画像データに対して前記パラメータ値設定手段により設定されたパラメータ値を用いた前記所定の動画像調整処理を行い、前記動画像表示部は、前記所定の動画像調整処理後の前記サンプル動画像データに基づき動画像を表示する、動画像表示装置。
【請求項２】
請求項１記載の動画像表示装置であって、
前記サンプル画像格納手段は、動画像内の移動体の移動特性が互いに異なる複数のサンプル動画像を表示するための複数のサンプル動画像データを格納し、
前記動画像表示装置は、さらに、
前記サンプル画像格納手段に格納された複数のサンプル動画像データの内の少なくとも１つを、前記動画像表示手段による表示に用いるサンプル動画像データとして設定するサンプル画像設定手段、を備える、動画像表示装置。
【請求項３】
請求項２記載の動画像表示装置であって、さらに、
サンプル動画像内の移動体の移動特性を指定するための移動特性指定を入力する移動特性指定入力手段を備え、
前記サンプル画像設定手段は、入力された前記移動特性指定に応じて、表示に用いるサンプル動画像データの設定を行う、動画像表示装置。
【請求項４】
請求項１記載の動画像表示装置であって、
前記サンプル画像格納手段は、動画像内の移動体の形状と色彩との内の少なくとも一方が互いに異なる複数のサンプル動画像を表示するための複数のサンプル動画像データを格納し、
前記動画像表示装置は、さらに、
前記サンプル画像格納手段に格納された複数のサンプル動画像データの内の少なくとも１つを、前記動画像表示手段による表示に用いるサンプル動画像データとして設定するサンプル画像設定手段、を備える、動画像表示装置。
【請求項５】
請求項４記載の動画像表示装置であって、さらに、
サンプル動画像内の移動体の形状と色彩との内の少なくとも一方を指定するための指定を入力する指定入力手段を備え、
前記サンプル画像設定手段は、入力された前記指定に応じて、表示に用いるサンプル動画像データの設定を行う、動画像表示装置。
【請求項６】
請求項１ないし請求項５のいずれかに記載の動画像表示装置であって、
前記所定の動画像調整処理は、動画フリッカを軽減するための処理であり、
前記所定の動画像調整処理における調整の程度は、動画フリッカの軽減の程度である、動画像表示装置。
【請求項７】
請求項６記載の動画像表示装置であって、
前記所定の動画像調整処理は、動画像を構成するフレーム画像中の連続した第１のフレーム画像と第２のフレーム画像との少なくともいずれか一方に対して所定の基準に基づき輝度を低減すると共に輝度低減処理後の前記第１のフレーム画像と前記第２のフレーム画像とを合成することによって、第１のフレーム画像と第２のフレーム画像との間に表示するためのＮ個（Ｎは１以上の整数）の中間フレーム画像を生成する処理である、動画像表示装置。
【請求項８】
請求項１ないし請求項５のいずれかに記載の動画像表示装置であって、
前記所定の動画像調整処理は、動画ボケを軽減するための処理であり、
前記所定の動画像調整処理における調整の程度は、動画ボケの軽減の程度である、動画像表示装置。
【請求項９】
請求項８記載の動画像表示装置であって、
前記所定の動画像調整処理は、動画像を構成するフレーム画像に基づき、画像を構成する画素の内の少なくとも一部の画素の輝度が所定の低減係数を用いて低減された少なくとも１つのマスク画像を生成する処理である、動画像表示装置。
【請求項１０】
動画像表示方法であって、
（ａ）動画像データに対する所定の動画像調整処理を行う工程と、
（ｂ）前記所定の動画像調整処理後の動画像データに基づき動画像を表示する工程と、
（ｃ）前記所定の動画像調整処理における調整の程度を指定するための調整指定を入力する工程と、
（ｄ）入力された前記調整指定に応じて、前記所定の動画像調整処理に用いられるパラメータ値を設定する工程と、
（ｅ）所定のサンプル動画像を表示するためのサンプル動画像データを格納する工程と、を備え、
前記工程（ｃ）における前記調整指定の入力が行われたとき、前記工程（ａ）において前記サンプル動画像データに対して前記工程（ｄ）で設定されたパラメータ値を用いた前記所定の動画像調整処理が行なわれ、前記工程（ｂ）において前記所定の動画像調整処理後の前記サンプル動画像データに基づく動画像表示が行われる、動画像表示方法。
【発明の詳細な説明】
【技術分野】
【０００１】
本発明は、動画像に対する調整処理の設定に関し、特に、調整処理における調整の程度を設定するための技術に関する。
【背景技術】
【０００２】
従来、ＣＲＴやテレビ等の動画像表示装置において動画像を表示する場合、動画像中の移動体を表す部分におけるちらつき（以下「動画フリッカ」と呼ぶ）や、移動体部分の残像（以下「動画ボケ」と呼ぶ）が生じる場合があった。このような動画フリッカや動画ボケは、液晶パネルを用いた液晶表示装置のように、各画素が蓄積型の表示素子で構成される動画像表示装置(以下「蓄積型表示装置」と呼ぶ)において発生しやすい。
【０００３】
動画像表示の際の動画フリッカや動画ボケを軽減するために、動画像に対して種々の調整処理を行う技術が開示されている（例えば特許文献１〜３）。
【０００４】
【特許文献１】特開平０４−３０２２８９号公報
【特許文献２】特開２００１−２９６８４１号公報
【特許文献３】特開２００２−１３２２２０号公報
【発明の開示】
【発明が解決しようとする課題】
【０００５】
動画像は、一般に、フレーム画像が１秒間に３０枚の周期で切り替えられながら表示されるため、動画像に対する調整処理の効果、すなわち、処理前と処理後の違いが、ユーザにより認識されにくいという特性がある。特に、動画フリッカや動画ボケは、その感じ方に個人差があり、また、動画像の内容によっても動画フリッカや動画ボケの発生の程度に差異がある。
【０００６】
動画像のこのような特性から、動画像表示装置が動画像を調整するための機能を備えている場合にも、当該機能が十分に利用されていない場合が多かった。また、ユーザが動画像調整処理における調整の程度を適切に設定することは困難であった。
【０００７】
本発明は、上述した従来の課題を解決するためになされたものであり、動画像調整処理における調整の程度をユーザに適切に設定させることを可能とする技術を提供することを目的とする。
【課題を解決するための手段】
【０００８】
上記課題の少なくとも一部を解決するために、本発明の動画像表示装置は、
動画像データに対する所定の動画像調整処理を行う動画像調整手段と、
前記所定の動画像調整処理後の動画像データに基づき動画像を表示する動画像表示手段と、
前記所定の動画像調整処理における調整の程度を指定するための調整指定を入力する調整指定入力手段と、
入力された前記調整指定に応じて、前記所定の動画像調整処理に用いられるパラメータ値を設定するパラメータ値設定手段と、
所定のサンプル動画像を表示するためのサンプル動画像データを格納するサンプル画像格納手段と、を備え、
前記調整指定入力手段が前記調整指定を入力したとき、前記動画像調整手段は前記サンプル動画像データに対して前記パラメータ値設定手段により設定されたパラメータ値を用いた前記所定の動画像調整処理を行い、前記動画像表示部は、前記所定の動画像調整処理後の前記サンプル動画像データに基づき動画像を表示する。
【０００９】
この動画像表示装置では、調整指定入力手段が調整指定を入力したとき、動画像調整手段がサンプル動画像データに対してパラメータ値設定手段により設定されたパラメータ値を用いた所定の動画像調整処理を行う。また動画像表示部が、所定の動画像調整処理後のサンプル動画像データに基づき動画像を表示する。そのため、ユーザは、入力した調整指定に応じた調整処理後のサンプル画像を確認することができる。従って、この動画像表示装置では、動画像調整処理における調整の程度をユーザに適切に設定させることができる。
【００１０】
上記動画像表示装置において、
前記サンプル画像格納手段は、動画像内の移動体の移動特性が互いに異なる複数のサンプル動画像を表示するための複数のサンプル動画像データを格納し、
前記動画像表示装置は、さらに、
前記サンプル画像格納手段に格納された複数のサンプル動画像データの内の少なくとも１つを、前記動画像表示手段による表示に用いるサンプル動画像データとして設定するサンプル画像設定手段、を備えるとしてもよい。
【００１１】
このようにすれば、ユーザは、動画像内の移動体の移動特性が互いに異なる複数のサンプル動画像に対する動画像調整処理後の画像を確認することができる。そのため、この動画像表示装置では、動画像調整処理における調整の程度をユーザにより適切に設定させることができる。
【００１２】
また、上記動画像表示装置において、さらに、
サンプル動画像内の移動体の移動特性を指定するための移動特性指定を入力する移動特性指定入力手段を備え、
前記サンプル画像設定手段は、入力された前記移動特性指定に応じて、表示に用いるサンプル動画像データの設定を行うとしてもよい。
【００１３】
このようにすれば、ユーザは、指定したサンプル動画像に対する動画像調整処理後の画像を確認することができる。そのため、この動画像表示装置では、動画像調整処理における調整の程度をユーザにより適切に設定させることができる。
【００１４】
また、上記動画像表示装置において、
前記サンプル画像格納手段は、動画像内の移動体の形状と色彩との内の少なくとも一方が互いに異なる複数のサンプル動画像を表示するための複数のサンプル動画像データを格納し、
前記動画像表示装置は、さらに、
前記サンプル画像格納手段に格納された複数のサンプル動画像データの内の少なくとも１つを、前記動画像表示手段による表示に用いるサンプル動画像データとして設定するサンプル画像設定手段、を備えるとしてもよい。
【００１５】
このようにすれば、ユーザは、動画像内の移動体の形状と色彩との内の少なくとも一方が互いに異なる複数のサンプル動画像に対する動画像調整処理後の画像を確認することができる。そのため、この動画像表示装置では、動画像調整処理における調整の程度をユーザにより適切に設定させることができる。
【００１６】
また、上記動画像表示装置において、さらに、
サンプル動画像内の移動体の形状と色彩との内の少なくとも一方を指定するための指定を入力する指定入力手段を備え、
前記サンプル画像設定手段は、入力された前記指定に応じて、表示に用いるサンプル動画像データの設定を行うとしてもよい。
【００１７】
このようにすれば、ユーザは、指定したサンプル動画像に対する動画像調整処理後の画像を確認することができる。そのため、この動画像表示装置では、動画像調整処理における調整の程度をユーザにより適切に設定させることができる。
【００１８】
また、上記動画像表示装置において、
前記所定の動画像調整処理は、動画フリッカを軽減するための処理であり、
前記所定の動画像調整処理における調整の程度は、動画フリッカの軽減の程度であるとしてもよい。
【００１９】
このようにすれば、動画フリッカを軽減するための動画像調整処理における動画フリッカの軽減の程度をユーザに適切に設定させることができる。
【００２０】
また、上記動画像表示装置において、
前記所定の動画像調整処理は、動画像を構成するフレーム画像中の連続した第１のフレーム画像と第２のフレーム画像との少なくともいずれか一方に対して所定の基準に基づき輝度を低減すると共に輝度低減処理後の前記第１のフレーム画像と前記第２のフレーム画像とを合成することによって、第１のフレーム画像と第２のフレーム画像との間に表示するためのＮ個（Ｎは１以上の整数）の中間フレーム画像を生成する処理であるとしてもよい。
【００２１】
このようにすれば、動画像調整処理を動画フリッカを軽減するための処理とすることができる。
【００２２】
また、上記動画像表示装置において、
前記所定の動画像調整処理は、動画ボケを軽減するための処理であり、
前記所定の動画像調整処理における調整の程度は、動画ボケの軽減の程度であるとしてもよい。
【００２３】
このようにすれば、動画ボケを軽減するための動画像調整処理における動画ボケの軽減の程度をユーザに適切に設定させることができる。
【００２４】
また、上記動画像表示装置において、
前記所定の動画像調整処理は、動画像を構成するフレーム画像に基づき、画像を構成する画素の内の少なくとも一部の画素の輝度が所定の低減係数を用いて低減された少なくとも１つのマスク画像を生成する処理であるとしてもよい。
【００２５】
このようにすれば、動画像調整処理を動画ボケを軽減するための処理とすることができる。
【００２６】
なお、本発明は、種々の態様で実現することが可能であり、例えば、動画像表示方法および装置、動画像調整方法および装置、動画像補正方法および装置、動画像出力方法および装置、これらの方法、システムまたは装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２７】
次に、本発明の実施の形態を実施例に基づいて以下の順序で説明する。
Ａ．第１実施例：
Ａ−１．動画像表示装置の構成：
Ａ−２．動画調整回路の構成および動作：
Ａ−３．動画調整設定処理：
Ｂ．第２実施例：
Ｃ．変形例：
【００２８】
Ａ．第１実施例：
Ａ−１．動画像表示装置の構成：
図１は、本発明の第１実施例としての動画像表示装置１００の構成を概略的に示す説明図である。第１実施例の動画像表示装置１００は、プロジェクタとして構成されている。動画像表示装置１００は、映像信号入力回路１１０と、メモリ書込制御回路１２０と、フレームメモリ１３０と、動画調整回路１４０と、拡大縮小回路１６０と、液晶ドライバ１７０と、液晶パネル１８０と、光源ユニット８０と、投写光学系９０と、ＣＰＵ１９０と、操作パネル２００と、を備えている。
【００２９】
映像信号入力回路１１０は、ＤＶＤプレーヤやビデオデッキ、パーソナルコンピュータなどの外部機器からコンポジット信号やＳビデオ信号、コンポーネント信号などの映像信号を入力する回路である。これらの映像信号は、一般的に、１秒あたり３０枚のフレーム画像から構成されているアナログ信号である。映像信号入力回路１１０は、同期分離回路１１２と、Ａ／Ｄ変換回路１１４と、を含んでいる。
【００３０】
同期分離回路１１２は、入力した映像信号から、垂直同期信号ＶＳｙｎｃや水平同期信号ＨＳｙｎｃ等の同期信号を分離する回路である。同期分離回路１１２は、分離を行った垂直同期信号ＶＳｙｎｃや水平同期信号ＨＳｙｎｃの周期に応じて、ＰＬＬ回路等を利用してドットクロックＤＣＫの生成も行う。なお、予め同期信号が分離された映像信号を入力する場合には、同期分離回路１１２を省略するものとしてもよい
【００３１】
Ａ／Ｄ変換回路１１４は、同期信号の分離されたアナログの映像信号をデジタルの映像信号に変換する回路である。Ａ／Ｄ変換回路１１４は、デジタル映像信号を生成すると、このデジタル映像信号を、メモリ書込制御回路１２０に出力する。
【００３２】
メモリ書込制御回路１２０は、映像信号入力回路１１０または設定回路５０から入力したデジタル映像信号（動画像データ）を、１フレーム毎にフレームメモリ１３０に書き込む。本実施例ではフレームメモリ１３０には、２フレーム分の書き込み領域が確保されており（図中の「領域Ａ」と「領域Ｂ」）、メモリ書込制御回路１２０は、これらの領域に対して、動画像を構成するフレーム画像を交互に書き込む。なお、本実施例では、書き込み領域を２つ備えるものとしたが、３つ以上の書き込み領域を備え、これらの領域に、順次、書き込みを行うものとしてもよい。
【００３３】
動画調整回路１４０は、入力される動画像データに対して動画像調整処理を行う回路である。本実施例の動画調整回路１４０によって実行される動画調整処理は、動画像を表示する際の動画フリッカを軽減するための処理である。動画調整回路１４０は、設定回路５０を含んでいる。
【００３４】
設定回路５０は、後述の動画調整設定処理等の各種設定処理を実行する回路である。動画調整設定処理は、動画調整回路１４０による後述の動画像調整処理における調整の程度を設定する処理である。設定回路５０は、パラメータ値設定回路５２と、サンプル画像記憶回路５４と、サンプル画像用メモリ５６と、を含んでいる。パラメータ値設定回路５２は、動画像調整処理に用いられるパラメータ値ＰＶを設定する。設定回路５０は、設定されたパラメータ値ＰＶを動画調整回路１４０に供給する。サンプル画像記憶回路５４は、動画調整設定処理の際に表示されるサンプル動画像を表すサンプル動画像データを格納する。サンプル画像用メモリ５６は、サンプル画像記憶回路５４に格納されたサンプル動画像データを読み出す際に使用されるメモリ領域である。
【００３５】
拡大縮小回路１６０は、動画調整回路１４０を介して入力された動画像データを、液晶パネル１８０の解像度に適合するように拡大または縮小する回路である。なお、動画像データの拡大／縮小は、メモリ書込制御回路１２０がフレームメモリ１３０にフレーム画像を書き込む際に行うものとしてもよいし、動画調整回路１４０がフレームメモリ１３０からフレーム画像を読み出す際に行うものとしてもよい。このような場合には、拡大縮小回路１６０を省略することができる。
【００３６】
液晶ドライバ１７０は、拡大縮小回路１６０から動画像データを入力し、そのＲＧＢ階調値に応じて液晶パネル１８０を駆動する回路である。
【００３７】
光源ユニット８０は、液晶パネル１８０に向けて照明光を発する。液晶パネル１８０は、液晶ドライバ１７０によって駆動される蓄積型表示装置であり、光源ユニット８０から発せられた照明光を画像を表す光（画像光）に変換する。投写光学系９０は、画像光を投写スクリーンＳＣ上で結像させることにより、投写スクリーンＳＣ上に画像を投写する。
【００３８】
ＣＰＵ１９０は、操作パネル２００によって、ユーザから種々の操作を受け付け、これらの操作に応じて、メモリ書込制御回路１２０や設定回路５０、動画調整回路１４０、拡大縮小回路１６０、液晶ドライバ１７０等の制御を行う。
【００３９】
Ａ−２．動画調整回路の構成および動作：
図２は、動画調整回路１４０（図１）の詳細構成を示す説明図である。本実施例の動画調整回路１４０は、動画像調整処理として、動画フリッカを軽減するための画像処理を実行する。本実施例では、動画調整回路１４０における動画像調整処理は、フレームメモリ１３０（図１）を介して入力された動画像（図２において「Ｄａｔａ」と表す）と、設定回路５０のサンプル画像用メモリ５６（図１）を介して入力されたサンプル動画像（図２において「ＳＤａｔａ」と表す）と、のいずれかを対象として実行される。
【００４０】
具体的には、動画調整回路１４０は、フレームメモリ１３０またはサンプル画像用メモリ５６から２つのフレーム画像データを読み込み、これらのフレーム画像データの輝度を調整しつつ合成することにより、Ｍ（Ｍは１以上の整数）個の中間フレーム画像データを生成する。生成された中間フレーム画像データの表す中間フレーム画像は、合成元の２つのフレーム画像の間に表示される。動画調整回路１４０が生成する中間フレーム画像の個数Ｍ（以下「中間フレーム数Ｍ」と呼ぶ）は、設定回路５０（図１）からパラメータ値ＰＶとして動画調整回路１４０に入力される。
【００４１】
動画調整回路１４０は、設定回路５０（図１）の他に、輝度係数決定回路２１０と、輝度係数決定回路２１０に接続されたマルチプレクサ２２０と、フレームメモリ１３０からデータをラッチする第１ラッチ回路２７２と、マルチプレクサ２２０および第１ラッチ回路２７２に接続された合成回路２３０と、合成回路２３０からデータをラッチする第２ラッチ回路２７４と、第１ラッチ回路２７２からデータをラッチする第３ラッチ回路２７６と、第２ラッチ回路２７４および第３ラッチ回路２７６に接続された選択回路２４０と、を含んでいる。さらに、動画調整回路１４０は、上述した各回路を制御するための制御回路２５０と、フィールド識別信号生成回路２６０と、を含んでいる。
【００４２】
フィールド識別信号生成回路２６０は、映像信号入力回路１１０または設定回路５０から水平同期信号ＨＳｙｎｃと垂直同期信号ＶＳｙｎｃとを入力し、これらの同期信号からフィールド識別信号を生成する。フィールド識別信号とは、インタレース表示方式において、表示すべきフィールドが偶数フィールドか奇数フィールドかを識別するための信号である。フィールド識別信号生成回路２６０は、フィールド識別信号を生成すると、かかるフィールド識別信号を制御回路２５０に対して出力する。
【００４３】
制御回路２５０は、映像信号入力回路１１０または設定回路５０から水平同期信号ＨＳｙｎｃ、垂直同期信号ＶＳｙｎｃおよびドットクロックＤＣＫを入力するとともに、フィールド識別信号生成回路２６０からフィールド識別信号を入力し、これらの信号に基づき、フレームメモリ１３０からのフレーム画像データの読み出しや、第１ラッチ回路２７２、第２ラッチ回路２７４、第３ラッチ回路２７６、マルチプレクサ２２０、合成回路２３０、選択回路２４０の動作を制御する。
【００４４】
制御回路２５０は、フレームメモリ１３０または設定回路５０から、先に表示すべきフレーム画像データ（以下、「先フレーム画像」と呼ぶ）と、後に表示すべきフレーム画像データ（以下、「後フレーム画像」と呼ぶ）とを、それぞれ、元の映像のフレームレートの（Ｍ＋１）倍の周期で、（２Ｍ＋１）回連続して読み出す（以下、このような読み出しを「オーバスキャン」と呼ぶ）。例えば、中間フレーム数Ｍが１の場合には、先フレーム画像と後フレーム画像とが、それぞれ、元の映像のフレームレートの２倍の周期で３回連続して読み出される（図７の中段参照）。このとき、（Ｍ＋１）回目に読み出されるフレーム画像は独立して読み出される。一方、その他のフレーム画像は、先フレーム画像と後フレーム画像を画素毎に交互に読み出すことで、同時読み出しが行われる。例えば、中間フレーム数Ｍが１の場合には、２回目に読み出されるフレーム画像は独立して読み出される（図７の中段参照）。一方、例えば、３回目の先フレーム画像と１回目の後フレーム画像は、同時に読み出される。フレームメモリ１３０からは、各領域からバーストモードによって読み出しを行うことができる。
【００４５】
こうしてオーバスキャンされたフレーム画像データは、第１ラッチ回路２７２によって画素単位で保持される。第１ラッチ回路２７２は、保持したフレーム画像データＤ１を、合成回路２３０と第３ラッチ回路２７６とに分岐して出力する。第３ラッチ回路２７６は、第１ラッチ回路２７２から出力されたフレーム画像データＤ１のうち、独立して読み出された先フレーム画像（すなわち（Ｍ＋１）回目に読み出された先フレーム画像）のデータのみをフレーム画像データＤ３として保持する。例えば、中間フレーム数Ｍが１の場合には、第３ラッチ回路２７６は、２回目に読み出された先フレーム画像データのみをフレーム画像データＤ３として保持する。
【００４６】
輝度係数決定回路２１０は、輝度係数Ｋ２および輝度係数Ｋ３の値を決定し、これらの値を表す信号をマルチプレクサ２２０に出力する。輝度係数Ｋ２は、中間フレーム画像の生成元となる先フレーム画像の輝度を調整するパラメータであり、輝度係数Ｋ３は、中間フレーム画像の生成元となる後フレーム画像の輝度を調整するためのパラメータである。
【００４７】
輝度係数決定回路２１０は、設定回路５０から入力されたパラメータ値ＰＶとしての中間フレーム数Ｍに応じて、輝度係数Ｋ２および輝度係数Ｋ３の値を決定する。図３ないし図５は、中間フレーム数Ｍに応じた輝度係数Ｋ２および輝度係数Ｋ３の値の決定方法の一例を示す説明図である。輝度係数決定回路２１０は、図３に示すテーブルに基づき、輝度係数Ｋ２およびＫ３を求めるための角度θ（ｒｄ）（０≦θ≦π）を中間フレーム画像毎に決定する。図３に示したテーブルには、０からπまでの区間を中間フレーム画像の個数によって分割することによって得られる値が定義されている。このテーブルによれば、例えば、中間フレーム画像を３枚生成する場合（Ｍ＝３の場合）には、１枚目の中間フレーム画像を生成するためのθは（１／４）πとなり、２枚目は、（１／２）π、３枚目は（３／４）πとなる。そして、このθの値と、下記式（１）および（２）に示す正弦関数を用いて、各中間フレーム画像の生成に用いる輝度係数Ｋ２およびＫ３をそれぞれ決定する。下記式（１）は、正弦関数の極大値（＝１）から極小値（＝０）までを表す関数であり、式（２）は、正弦関数の極小値（＝０）から極大値（＝１）までを表す関数である。図４には、下記関数をグラフ化した図を示し、図５には、角度θに対応する輝度係数Ｋ２および輝度係数Ｋ３の値の具体例を示している。
【００４８】
Ｋ２＝（ＣＯＳθ）／２＋０．５  ・・・（１）
Ｋ３＝０．５−（ＣＯＳθ）／２  ・・・（２）
【００４９】
図５を参照すると、上記関数（１）および（２）によれば、中間フレーム画像を３枚生成する場合には、１枚目の中間フレーム画像に適用する輝度係数Ｋ２は、０．８５となり、輝度係数Ｋ３は、０．１５となる。また、２枚目の中間フレーム画像に適用する輝度係数Ｋ２は、０．５０となり、輝度係数Ｋ３も０．５０となる。更に、３枚目の中間フレーム画像に適用する輝度係数Ｋ２は、０．１５となり、輝度係数Ｋ３は、０．８５となる。
【００５０】
マルチプレクサ２２０（図２）は、輝度係数決定回路２１０から輝度係数Ｋ２および輝度係数Ｋ３を表す信号を入力し、これらの信号を時分割で多重化して合成回路２３０に出力する。
【００５１】
合成回路２３０は、マルチプレクサ２２０から輝度係数Ｋ２および輝度係数Ｋ３を表す信号を入力するとともに、オーバスキャンされたフレーム画像データＤ１を画素単位で第１ラッチ回路２７２から入力する。合成回路２３０は、第１ラッチ回路２７２から先フレーム画像と後フレーム画像を同時に入力した場合、つまり、例えば中間フレーム数Ｍ＝１のときに３回目に読み出した先フレーム画像と１回目に読み出した後フレーム画像とを同時に入力した場合に、先フレーム画像の画素の輝度値に対して、輝度係数Ｋ２を積算し、後フレーム画像の画素の輝度値に対して、輝度係数Ｋ３を積算する。そして、輝度係数をそれぞれ積算した先フレーム画像の画素と後フレーム画像の画素とを下記式（３）に基づき合成し、中間フレーム画像データＤ２を生成する。合成回路２３０によって中間フレーム画像データＤ２が生成されると、この中間フレーム画像データＤ２は、第２ラッチ回路２７４によって保持される。
【００５２】
Ｄ２＝（先フレーム画像Ｄ１＊Ｋ２）＋（後フレーム画像Ｄ１＊Ｋ３）  ・・・（３）
【００５３】
選択回路２４０（図２）は、第２ラッチ回路２７４によって保持された中間フレーム画像データＤ２と、第３ラッチ回路２７６によって保持されたフレーム画像データＤ３とを入力すると、元の映像の垂直同期信号ＶＳｙｎｃを（Ｍ＋１）倍した周期で、２つのデータを選択取得する。そして、選択回路２４０は、選択したフレーム画像データを、フレーム画像データＤ４として拡大縮小回路１６０に出力する。なお、拡大縮小回路１６０に対しては、制御回路２５０から、フレーム画像データＤ４を液晶パネル１８０に表示させるために必要なドットクロックＭＤＣＫや水平同期信号ＭＨＳｙｎｃ、垂直同期信号ＭＶＳｙｎｃが出力される。本実施例の場合には、垂直同期信号ＭＶＳｙｎｃは、映像信号入力回路１１０から入力した垂直同期信号ＶＳｙｎｃを（Ｍ＋１）倍した周期となる。
【００５４】
図６は、動画調整回路１４０の動作のタイミングチャートを簡易的に示す説明図である。図６は、中間フレーム数Ｍ＝１の場合の例を示している。上述した動画調整回路１４０によれば、映像信号入力回路１１０または設定回路５０から水平同期信号ＨＳｙｎｃと垂直同期信号ＶＳｙｎｃとドットクロックＤＣＫとが入力されると、こられの同期信号から、フィールド識別信号ＦＳが生成される。そして、動画調整回路１４０からは、最終的に出力を行うフレーム画像データＤ４として、偶数フィールドを表示するタイミングｅｖｅｎで、元の動画像からそのまま取得したフレーム画像データＤ３（図中のＤ３（ｎ−１）、Ｄ３（ｎ）、Ｄ３（ｎ＋１））が出力され、奇数フィールドを表示するタイミングｏｄｄで、動画調整回路１４０によって生成された中間フレーム画像データＤ２（図中のＤ２（ｎ−１）、Ｄ２（ｎ）、Ｄ２（ｎ＋１））が出力される。
【００５５】
図７は、動画調整回路１４０によって出力されたフレーム画像データに応じて、液晶パネル１８０上に形成される動画像を視覚的に表した説明図である。図７は、中間フレーム数Ｍ＝１の場合の例を示している。図の上段には、フレームメモリ１３０に記憶されたフレーム画像データＤａｔａを示し、図の中段には、このフレームメモリからオーバスキャンされたフレーム画像データＤ１を示した。また、図の下段には、選択回路２４０から出力されるフレーム画像データＤ４を示した。図の下段に示したフレーム画像データＤ４については、図６に示したフレーム画像データＤ４と共通のフレーム番号を付している。
【００５６】
図７の上段に示すように、フレームメモリ１３０内に、フレーム（Ｎ−１）、フレーム（Ｎ）、フレーム（Ｎ＋１）のフレーム画像データが順次記憶されると、図７の中段に示すように、これらのフレーム画像が、制御回路２５０によってオーバスキャンされ、各フレームが、それぞれ３枚ずつ出力される。なお、図示の都合上、フレーム（Ｎ−１）とフレーム（Ｎ＋１）については、３枚中、２枚分の出力について示している。こうしてオーバスキャンされた３枚のフレーム画像のうち、２枚目のフレーム画像については、選択回路２４０によってそのままフレーム画像データＤ４として出力される。これに対して、先フレーム画像の３枚目および後フレーム画像の１枚目については、合成回路２３０によって、それぞれの画像の輝度値に輝度係数Ｋ２およびＫ３が積算されて合成され、中間フレーム画像データＤ２が生成される。そして、この中間フレーム画像データＤ２が、選択回路２４０によって選択され、フレーム画像データＤ４として出力される。この結果、図７の下段に示すように、選択回路２４０からは、Ｄ３，Ｄ２，Ｄ３，Ｄ２，・・・というように、元の動画像を構成していたフレーム画像データＤ３の間に動画調整回路１４０によって生成された中間フレーム画像データＤ２が挟まれるように出力され、液晶パネル１８０上にその画像が形成される。
【００５７】
図８は、本実施例における動画像調整処理の効果を示す説明図である。図８は、中間フレーム数Ｍ＝１の場合の例を示している。また図８は、黒丸の図形が左から右に移動する動画像を表示している例を示している。図の左側には、中間フレーム画像を生成しない場合の表示例を示し、図の右側には、本実施例によって中間フレーム画像を生成した場合の表示例を示している。図の左側に示すように、中間フレーム画像を生成しない場合には、黒丸の表示状態が、表示する／表示しないの２段階に変化するにすぎないため、フレームレートが適切に確保されている場合でも、黒丸の移動速度が速い場合には不連続に移動していくように観察され、動画フリッカが発生してしまう。しかし、本実施例では、図の右側に示すように、元の動画像を構成するフレーム画像の間に、前後フレームの輝度を調整して合成した中間フレーム画像が挿入されるため、滑らかに黒丸が移動していくように観察される。そのため、動画フリッカが軽減され、ユーザの視聴上の負荷を軽減することができる。
【００５８】
このような動画フリッカの軽減効果は、中間フレーム数Ｍに応じて変動する。具体的には、中間フレーム数Ｍが多いほど、動画フリッカの軽減効果は大きいと考えられる。図９は、中間フレーム数Ｍ＝２の場合における、動画調整回路１４０によって出力されたフレーム画像データに応じて、液晶パネル１８０上に形成される動画像を視覚的に表した説明図である。図９の上段および中段に示すように、中間フレーム数Ｍ＝２の場合において、メモリ書込制御回路１２０が、フレームメモリ１３０に、フレーム（Ｎ−１）、フレーム（Ｎ）、フレーム（Ｎ＋１）のフレーム画像データを順次書き込むと、制御回路２５０は、元の映像のフレームレートの３倍の周期で、５回連続して読み出しを行う。このとき、３回目の読み出しは、独立して行われる。一方、例えば、４回目の先フレーム画像と１回目の後フレーム画像、および、５回目の先フレーム画像と２回目の後フレーム画像は、それぞれ画素毎に交互に読み出すことで同時読み出しを行う。この結果、図９の下段に示すように、オーバスキャンを行った５枚中、３枚目のフレーム画像については、選択回路２４０によってそのままフレーム画像データＤ４として出力される。これに対して、上述した４回目の先フレーム画像と１回目の後フレーム画像、および、５回目の先フレーム画像と２回目の後フレーム画像については、合成回路２３０によって、それぞれの画像の輝度値に輝度係数Ｋ２およびＫ３が積算されて合成され、中間フレーム画像データＤ２が生成される。そして、この中間フレーム画像データＤ２が、選択回路によって選択され、フレーム画像データＤ４として出力される。
【００５９】
図９に示した例では、２枚連続して生成される中間フレーム画像データＤ２のうち１枚目の中間フレーム画像データＤ２と、２枚目の中間フレーム画像データＤ２とでは、輝度係数Ｋ２および輝度係数Ｋ３の値をそれぞれ異なる組み合わせで積算している。具体的には、１枚目の中間フレーム画像では、輝度係数Ｋ２を０．７５、輝度係数Ｋ３を０．２５としており、２枚目の中間フレーム画像では、輝度係数Ｋ２を０．２５、輝度係数Ｋ３を０．７５としている（図３および図５参照）。こうすることで、先フレーム画像の輝度が徐々に低下し、後フレーム画像の輝度が徐々に上がることになり、移動体が徐々に移動しているかのような効果を得ることができる。このように、中間フレーム数Ｍを２に設定した場合には、中間フレーム数Ｍを１に設定した場合と比較して、動画フリッカをより軽減することが可能になる。
【００６０】
Ａ−３．動画調整設定処理：
本実施例の動画像表示装置１００では、動画像調整処理における調整の程度を設定する動画調整設定処理を行うことが可能である。本実施例においては、動画像調整処理における調整の程度とは、動画フリッカの軽減の程度を意味している。動画調整設定処理は、ＣＰＵ１９０が、主に設定回路５０を制御することによって実行される。
【００６１】
図１０は、本実施例における動画調整設定処理の流れを示すフローチャートである。動画調整設定処理は、ユーザによる操作パネル２００（図１）を介した処理開始指示に応じて開始される。操作パネル２００を介して開始指示が入力されると、設定メニュー画面が表示される（ステップＳ１１０）。図１１は、設定メニュー画面の一例を示す説明図である。ユーザは、設定メニュー画面表示中に、操作パネル２００を操作することによって、ブライトネスやコントラストの変更指示を行うことができる。また、ユーザは、表示する動画像の種類により動画モードの選択指示を行う。
【００６２】
設定メニュー画面表示中において、「次へ」ボタンが選択されると、動画調整設定画面が表示される。図１２は、動画調整設定画面の一例を示す説明図である。図１２に示すように、動画調整設定画面には、サンプル動画像が表示される領域であるサンプル動画像表示領域ＳＡが含まれている。また、動画調整設定画面には、各種のＵＩ（ユーザインタフェース）が含まれている。具体的には、動画フリッカ軽減効果の程度を指定するためのＵＩと、サンプル動画像表示領域ＳＡの表示／非表示の切り替えを指定するためのＵＩと、サンプル動画像表示領域ＳＡに表示されるサンプル動画像中の移動体の移動特性（移動方向および移動速度）を指定するためのＵＩと、サンプル動画像表示領域ＳＡに表示されるサンプル動画像のパターン（すなわち移動体の形状や移動体および背景の色）を指定するためのＵＩと、が含まれている。
【００６３】
サンプル動画像表示領域ＳＡの表示／非表示の切り替えを指定するためのＵＩを通じてサンプル動画像表示領域ＳＡの表示が指定されている場合には、サンプル動画像表示領域ＳＡにサンプル動画像が表示される。このサンプル動画像の表示は、設定回路５０のサンプル画像記憶回路５４（図１）からサンプル画像用メモリ５６に読み出されたサンプル動画像データに基づき行われる。サンプル画像記憶回路５４には、動画中の移動体の移動特性や動画パターンの異なる複数のサンプル動画像に対応した複数のサンプル動画像データが格納されている。最初の動画像調整設定画面の表示の際には、デフォルト設定されたサンプル動画像がサンプル動画像表示領域ＳＡに表示される。
【００６４】
なお、サンプル動画像のパターンとしては、種々の動画像を採用可能である。例えば、図１２に示すように、サンプル動画像のパターンにおいて、移動体の形状は、比較的小さな矩形形状であってもよく、動画像の上端から下端（もしくは左端から右端）までにわたる帯状形状であってもよい。また、並列に配置された複数の帯状形状であってもよい。また、移動体および背景の色の組み合わせは、黒色と白色の組み合わせであってもよく、黒色と５０％グレイとの組み合わせや白色と５０％グレイとの組み合わせであってもよい。また、サンプル動画像のパターンは、木の葉の画像といった自然画像であってもよい。
【００６５】
図１２の例では、サンプル動画像のパターンとして縦長の帯状形状のパターンが選択されており、また、移動方向として右方向が選択されている。そのため、サンプル動画像表示領域ＳＡには、帯状形状のパターンが、左から右に移動する動画が表示されている（図１２のサンプル動画像表示領域ＳＡ中に表示した矢印参照）。
【００６６】
また、最初の動画像調整設定画面の表示の際には、動画フリッカ軽減効果の程度は、最小に指定されている。動画フリッカ軽減効果の程度が最小に指定されているときには、動画調整回路１４０における動画像調整処理は行われない。すなわち、設定回路５０のサンプル画像記憶回路５４に格納されたサンプル動画像データが、そのまま出力される。
【００６７】
動画像調整設定画面（図１２）の表示中に、サンプル動画像中の移動体の移動特性を指定するためのＵＩを通じて異なる移動特性が指定されると（ステップＳ１２０：Ｙｅｓ）、サンプル動画像中の移動体の移動特性が指定に応じて変更されるように、サンプル動画像表示領域ＳＡに表示されているサンプル動画像が更新される（ステップＳ１４０）。具体的には、サンプル画像記憶回路５４に格納された複数のサンプル動画像データの中から指定に応じた動画像データが選択され、当該選択された動画像データに基づきサンプル動画像表示領域ＳＡにサンプル動画像が表示される。このように、ユーザは、サンプル動画像表示領域ＳＡに表示されるサンプル動画像中の移動体の移動方向や移動速度を種々変更させることが可能である。
【００６８】
同様に、動画像調整設定画面の表示中に、サンプル動画像のパターンを指定するためのＵＩを通じて異なるパターンが指定されると（ステップＳ１３０：Ｙｅｓ）、サンプル動画像のパターンが指定に応じて変更されるように、サンプル動画像表示領域ＳＡに表示されているサンプル動画像が更新される（ステップＳ１４０）。具体的には、サンプル画像記憶回路５４に格納された複数のサンプル動画像データの中から指定に応じた動画像データが選択され、当該選択された動画像データに基づきサンプル動画像表示領域ＳＡにサンプル動画像が表示される。このように、ユーザは、サンプル動画像表示領域ＳＡに表示されるサンプル動画像のパターン（移動体の形状や色、背景の色等）を種々変更させることが可能である。
【００６９】
動画像調整設定画面の表示中に、動画フリッカ軽減効果の程度を指定するためのＵＩを通じて動画フリッカ軽減の程度を変更するような指定がされると（ステップＳ１５０：Ｙｅｓ）、パラメータ値設定回路５２（図１）により、指定された動画フリッカ軽減の程度に対応したパラメータ値ＰＶとしての中間フレーム数Ｍが設定される（ステップＳ１６０）。ＵＩ上での動画フリッカ軽減の程度と中間フレーム数Ｍとの関係は予め定められている。この関係は、動画フリッカ軽減の程度が大きいほど、中間フレーム数Ｍも大きくなるような関係となっている。新たに設定されたパラメータ値ＰＶとしての中間フレーム数Ｍは、動画調整回路１４０の輝度係数決定回路２１０に供給される。動画調整回路１４０は、新たに供給されたパラメータ値ＰＶを用いて、サンプル動画像データに対する動画像調整処理を行う。これにより、動画像調整処理後のサンプル動画像がサンプル動画像表示領域ＳＡに表示される。
【００７０】
例えば、動画フリッカ軽減の程度を大きくするような指定がなされると、中間フレーム数Ｍがより多く設定された動画像調整処理が実行される。従って、サンプル動画像表示領域ＳＡに表示されるサンプル動画像は、動画フリッカがより軽減された画像に更新される。反対に、動画フリッカ軽減の程度を小さくするような指定がなされると、中間フレーム数Ｍがより少なく設定された動画像調整処理が実行され、サンプル動画像表示領域ＳＡに表示されるサンプル動画像は、動画フリッカの軽減効果がより小さい画像に更新される。
【００７１】
動画像調整設定画面の表示中に、「設定完了」ボタンの選択によって動画調整設定完了の指示が行われると（ステップＳ１７０：Ｙｅｓ）、動画調整設定処理は終了する。動画調整設定処理終了後は、操作パネル２００を介したユーザからの指示に応じて、映像信号入力回路１１０から入力された動画像の表示が行われる。このとき、動画調整回路１４０において、直前の動画調整設定処理終了において指定された動画フリッカ軽減の程度に対応したパラメータ値ＰＶを用いた動画像調整処理が実行される。そのため、映像信号入力回路１１０から入力された動画像は、ユーザの所望する程度に動画フリッカが軽減されて表示されることとなる。
【００７２】
以上説明したように、本実施例の動画像表示装置１００では、動画調整設定処理が行われる。動画調整設定処理では、動画フリッカ軽減の程度がユーザにより指定されると、指定された程度に応じて動画調整回路１４０における動画像調整処理に用いるパラメータ値ＰＶが設定される。そして、新たに設定されたパラメータ値ＰＶを用いた動画像調整処理がサンプル動画像データに対して実行され、処理後のサンプル動画像が表示される。そのため、ユーザは、動画像調整処理の効果を容易に認識することが可能となる。また、ユーザは、表示されるサンプル動画像における動画フリッカの程度を確認しながら、所望の動画フリッカ軽減の程度を設定することができる。従って、本実施例の動画像表示装置１００では、動画像調整処理に用いるパラメータ値ＰＶの設定を適切に行うことができる。
【００７３】
また、本実施例における動画調整設定処理では、ユーザは、サンプル動画像中の移動体の移動特性（移動方向および移動速度）を指定することができる。ユーザによる移動特性の指定が行われると、指定に応じたサンプル動画像が表示される。一般に、動画フリッカの認識のされやすさは、動画中の移動体の移動特性に応じて変化する。本実施例の動画像表示装置１００では、サンプル動画像中の移動体の移動特性を変更することができるため、動画フリッカの認識のされやすさを変化させることができる。そのため、例えば、サンプル動画像において動画フリッカを認識できるように移動特性を調整した上で、動画フリッカ軽減の程度をサンプル動画像を確認しながら指定することができる。また、例えば、映像信号入力回路１１０から入力される動画像の特性を考慮してサンプル動画像の移動特性を設定した上で、動画フリッカ軽減の程度を指定することもできる。従って、本実施例の動画像表示装置１００では、動画像調整処理に用いるパラメータ値ＰＶの設定をより適切に行うことができる。
【００７４】
また、本実施例における動画調整設定処理では、ユーザは、サンプル動画像のパターン（移動体の形状や移動体および背景の色）を複数の選択肢の中から指定することができる。ユーザによるサンプル動画像のパターンの指定が行われると、指定に応じたサンプル動画像が表示される。一般に、動画フリッカの認識のされやすさは、動画のパターンに応じても変化する。本実施例の動画像表示装置１００では、サンプル動画像のパターンを変更することができるため、動画フリッカの認識のされやすさを変化させることができる。そのため、例えば、サンプル動画像において動画フリッカを認識できるようなパターンを選択した上で、動画フリッカ軽減の程度をサンプル動画像を確認しながら指定することができる。また、例えば、映像信号入力回路１１０から入力される動画像の特性を考慮してサンプル動画像のパターンを選択した上で、動画フリッカ軽減の程度を指定することもできる。従って、本実施例の動画像表示装置１００では、動画像調整処理に用いるパラメータ値ＰＶの設定をより適切に行うことができる。
【００７５】
Ｂ．第２実施例：
図１３は、第２実施例における動画調整回路１４０によって出力されたフレーム画像データに応じて、液晶パネル１８０上に形成される動画像を視覚的に表した説明図である。第２実施例においても、第１実施例と同様に、動画調整回路１４０における動画像調整処理として、入力された元動画像から中間フレーム画像が生成される。図１３の例では、中間フレーム数Ｍは３である。第２実施例における動画像調整処理では、中間フレーム画像の１つが、元動画像と比較して輝度が低減された画像として生成される点が第１実施例の動画像調整処理とは異なっている。すなわち、第１実施例では、中間フレーム画像の生成に用いる輝度係数Ｋ２およびＫ３の合計は１であったが、第２実施例では、輝度係数Ｋ２およびＫ３の合計が１未満である中間フレーム画像が、マスク画像として生成される。
【００７６】
図１３の例では、生成される３枚の中間フレーム画像の内、中間の１枚について、先フレーム画像に対して適用する輝度係数Ｋ２と、後フレーム画像に対して適用する輝度係数Ｋ３とが共に０．１に設定され、その合計値が１未満となっている。このように、低い輝度係数を適用した中間フレーム画像を生成すれば、他のフレーム画像よりも暗いマスク画像が合成元の２つのフレーム画像が表示される間の所定のタイミングで表示されることになる。このようなタイミングで輝度の低いマスク画像を表示するものとすれば、液晶パネル等のホールド型表示デバイスに特有な残像現象（動画ボケ）を軽減することが可能になる。
【００７７】
動画調整回路１４０（図２）における動画調整処理の際には、第１実施例と同様に、設定回路５０から提供されるパラメータ値ＰＶが用いられる。第２実施例では、パラメータ値ＰＶとして、マスク画像の生成に用いる輝度係数Ｋ２およびＫ３の値が用いられる。なお、パラメータ値ＰＶとして、輝度係数決定回路２１０により第１実施例と同様に算出された輝度係数Ｋ２およびＫ３に対して乗算される低減係数の値が用いられるとしてもよい。
【００７８】
動画像調整処理による動画ボケの軽減効果は、マスク画像の生成に用いる輝度係数Ｋ２およびＫ３に応じて変動する。具体的には、輝度係数Ｋ２およびＫ３の値が小さいほど、動画ボケの軽減効果は大きいと考えられる。
【００７９】
図１４は、第２実施例における動画調整設定処理の流れを示すフローチャートである。第２実施例の動画調整設定処理は、ボケ軽減量変更指示を入力するステップ（ステップＳ１５２）が追加されている点が、図１０に示した第１実施例における動画調整設定処理と異なっている。図１５は、第２実施例における動画調整設定画面の一例を示す説明図である。図１５に示すように、第２実施例における動画調整設定画面には、図１２に示した第１実施例における動画調整設定画面に、動画ボケ軽減効果の程度を指定するためのＵＩが追加されている。
【００８０】
動画像調整設定画面の表示中に、動画ボケ軽減効果の程度を指定するためのＵＩを通じて動画ボケ軽減の程度を変更するような指定がされると（ステップＳ１５２：Ｙｅｓ）、パラメータ値設定回路５２（図１）により、指定された動画ボケ軽減の程度に対応したパラメータ値ＰＶとしてのマスク画像生成用輝度係数Ｋ２およびＫ３が設定される（ステップＳ１６０）。ＵＩ上での動画ボケ軽減の程度とマスク画像生成用輝度係数Ｋ２およびＫ３の値との関係は予め定められている。新たに設定されたパラメータ値ＰＶは、動画調整回路１４０の輝度係数決定回路２１０に供給される。動画調整回路１４０は、新たに供給されたパラメータ値ＰＶを用いて、サンプル動画像データに対する動画像調整処理を行う。これにより、動画像調整処理後のサンプル動画像がサンプル動画像表示領域ＳＡに表示される。
【００８１】
例えば、動画ボケ軽減の程度を大きくするような指定がなされると、輝度がより低減されたマスク画像が生成されるような動画像調整処理が実行される。従って、サンプル動画像表示領域ＳＡに表示されるサンプル動画像は、動画ボケがより軽減された画像に更新される。反対に、動画ボケ軽減の程度を小さくするような指定がなされると、輝度の低減度合の低いマスク画像が生成されるような動画像調整処理が実行され、サンプル動画像表示領域ＳＡに表示されるサンプル動画像は、動画ボケの軽減効果がより小さい画像に更新される。なお、動画ボケ軽減効果の程度が最小に指定されているときには、マスク画像の生成は行われない。すなわち、中間フレーム画像の生成に用いる輝度係数Ｋ２およびＫ３の値の組み合わせは、すべて合計が１となる組み合わせとなる。
【００８２】
以上説明したように、第２実施例の動画像表示装置１００では、動画調整設定処理が行われる。動画調整設定処理では、動画ボケ軽減の程度がユーザにより指定されると、指定された程度に応じて動画調整回路１４０における動画像調整処理に用いるパラメータ値ＰＶが設定される。そして、新たに設定されたパラメータ値ＰＶを用いた動画像調整処理がサンプル動画像データに対して実行され、処理後のサンプル動画像が表示される。そのため、ユーザは、表示されるサンプル動画像における動画ボケの程度を確認しながら、所望の動画ボケ軽減の程度を設定することができる。従って、本実施例の動画像表示装置１００では、動画像調整処理に用いるパラメータ値ＰＶの設定を適切に行うことができる。
【００８３】
また、本実施例における動画調整設定処理では、ユーザは、サンプル動画像中の移動体の移動特性（移動方向および移動速度）を指定することができる。ユーザによる移動特性の指定が行われると、指定に応じたサンプル動画像が表示される。一般に、動画ボケの認識のされやすさは、動画中の移動体の移動特性に応じて変化する。本実施例の動画像表示装置１００では、サンプル動画像中の移動体の移動特性を変更することができるため、動画ボケの認識のされやすさを変化させることができる。そのため、例えば、サンプル動画像において動画ボケを認識できるように移動特性を調整した上で、動画ボケ軽減の程度をサンプル動画像を確認しながら指定することができる。また、例えば、映像信号入力回路１１０から入力される動画像の特性を考慮してサンプル動画像の移動特性を設定した上で、動画ボケ軽減の程度を指定することもできる。従って、本実施例の動画像表示装置１００では、動画像調整処理に用いるパラメータ値ＰＶの設定をより適切に行うことができる。
【００８４】
また、本実施例における動画調整設定処理では、ユーザは、サンプル動画像のパターン（移動体の形状や移動体および背景の色）を複数の選択肢の中から指定することができる。ユーザによるサンプル動画像のパターンの指定が行われると、指定に応じたサンプル動画像が表示される。一般に、動画ボケの認識のされやすさは、動画のパターンに応じても変化する。本実施例の動画像表示装置１００では、サンプル動画像のパターンを変更することができるため、動画ボケの認識のされやすさを変化させることができる。そのため、例えば、サンプル動画像において動画ボケを認識できるようなパターンを選択した上で、動画ボケ軽減の程度をサンプル動画像を確認しながら指定することができる。また、例えば、映像信号入力回路１１０から入力される動画像の特性を考慮してサンプル動画像のパターンを選択した上で、動画ボケ軽減の程度を指定することもできる。従って、本実施例の動画像表示装置１００では、動画像調整処理に用いるパラメータ値ＰＶの設定をより適切に行うことができる。
【００８５】
Ｃ．変形例：
なお、この発明は上記の実施例や実施形態に限られるものではなく、その要旨を逸脱しない範囲において種々の態様において実施することが可能であり、例えば次のような変形も可能である。
【００８６】
Ｃ１．変形例１：
上記各実施例における動画像調整処理の内容は、あくまで一例であり、動画像調整処理の内容を他の内容とすることも可能である。また、動画像表示装置１００の構成は、動画像調整処理の内容に応じて変形可能である。
【００８７】
例えば、第１実施例における動画像調整処理は、動画フリッカを軽減するための処理であり、第２実施例における動画像調整処理は、動画フリッカおよび動画ボケを軽減するための処理であるが、動画像調整処理を、動画ボケを軽減するための処理であるとしてもよい。
【００８８】
また、動画像調整処理において動画フリッカを軽減するための方法についても、他の方法を採用可能である。例えば、上記各実施例では、中間フレーム数Ｍの生成に用いる輝度係数Ｋ２およびＫ３は、中間フレーム数Ｍに応じて予め定められた値に設定されるが、輝度係数Ｋ２およびＫ３が先フレーム画像と後フレーム画像との間の動ベクトル量に応じて算出されるとしてもよい。この場合に、動ベクトル量が大きくなるほど、輝度係数Ｋ２の値が小さく、かつ、輝度係数Ｋ３の値が大きくなるように、輝度係数Ｋ２およびＫ３が算出されるとしてもよい。また、上記実施例では輝度係数Ｋ２およびＫ３の値は合計が１となる値の組み合わせに設定されるが、必ずしもそのように設定される必要はない。
【００８９】
また、動画像調整処理において動画ボケを軽減するための方法についても、他の方法を採用可能である。例えば、連続した２枚のフレーム画像から輝度を低減した１枚の合成画像をマスク画像として生成することによって動画ボケを軽減するとしてもよいし、あるフレーム画像を２倍速で読み出し、２回目に読み出したフレーム画像の一部または全部の画素の輝度を低減することによってマスク画像を生成し、画像の合成を行うことなく動画ボケを軽減するとしてもよい。また、マスク画像を予め準備しておき、動画像を構成するフレーム画像の間に、マスク画像を挿入することによって動画ボケを軽減するとしてもよい。
【００９０】
また、上記各実施例では、前後フレーム画像の輝度値を調整することで、中間フレーム画像やマスク画像を生成しているが、例えば、色相や色彩、あるいは、Ｒ，Ｇ，Ｂ値のうちいずれかの値を調整することで中間フレーム画像やマスク画像を生成するものとしてもよい。
【００９１】
また、上記各実施例では、制御回路２５０によるフレームメモリ１３０からの画像の読み出しや、合成回路２３０による画像の輝度調整および合成を、画素単位で行うものとしているが、これらの処理を行う単位は、画素単位ではなく、フレーム単位やライン単位、走査線単位で行うものとしてもよい。どの単位で処理を行うかは、各ラッチ回路で保持可能なデータ容量や、合成回路２３０内のバッファ容量に応じて決定することができる。
【００９２】
Ｃ２．変形例２：
上記第１実施例では、動画像調整処理に用いるパラメータ値ＰＶとして中間フレーム数Ｍを用いているが、パラメータ値ＰＶとして中間フレーム数Ｍに代えて、あるいは、中間フレーム数Ｍと共に、他の値を用いるとしてもよい。他の値としては、例えば、中間フレームの生成に用いる輝度係数Ｋ２およびＫ３を用いることが可能である。
【００９３】
同様に、上記第２実施例では、動画像調整処理に用いるパラメータ値ＰＶとしてマスク画像の生成の際の輝度係数Ｋ２およびＫ３を用いているが、パラメータ値ＰＶとして他の値を用いるとしてもよい。他の値としては、例えば、マスク画像中の全体画素数に占める輝度低減画素数の割合を用いることが可能である。
【００９４】
Ｃ３．変形例３：
上記各実施例における動画調整設定画面（図１２および図１５）の内容は、あくまで一例であり、動画調整設定画面の内容を他の内容としてもよい。例えば、動画調整設定画面は、複数のサンプル動画像表示領域ＳＡを含んでいてもよい。この場合に、複数のサンプル動画像表示領域ＳＡの内の１つに動画像調整処理を施す前のサンプル動画像を表示し、他の１つに動画像調整処理を施した後のサンプル動画像を表示するとしてもよい。あるいは、複数のサンプル動画像表示領域ＳＡのそれぞれに、異なるサンプル画像、すなわち移動体の移動特性の異なるサンプル画像や、パターンの異なるサンプル画像を表示するとしてもよい。また、サンプル動画像表示領域ＳＡを表示画面全体に設定するとしてもよい。この場合には、例えば、動画調整設定画面にサンプル動画像表示領域ＳＡを表示画面全体に表示させるためのＵＩが設けられ、当該ＵＩを介したユーザからの指示に応じて、サンプル動画像表示領域ＳＡが表示画面全体に表示されるとしてもよい。
【００９５】
Ｃ４．変形例４：
上記各実施例では、動画像表示装置１００をプロジェクタとして構成した例を示したが、動画像表示装置１００は、液晶ディスプレイや、ブラウン管ディスプレイ、プラズマディスプレイ等として構成することも可能である。この場合には、図１に示した液晶ドライバ１７０や液晶パネル１８０等は、各表示装置に適合した駆動回路や表示デバイスに置き換えられる。また、これらの表示デバイスの種類に応じて、輝度係数を可変させるものとしてもよい。
【００９６】
また、上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００９７】
【図１】本発明の第１実施例としての動画像表示装置１００の構成を概略的に示す説明図である。
【図２】動画調整回路１４０の詳細構成を示す説明図である。
【図３】中間フレーム数Ｍに応じた輝度係数Ｋ２および輝度係数Ｋ３の値の決定方法の一例を示す説明図である。
【図４】中間フレーム数Ｍに応じた輝度係数Ｋ２および輝度係数Ｋ３の値の決定方法の一例を示す説明図である。
【図５】中間フレーム数Ｍに応じた輝度係数Ｋ２および輝度係数Ｋ３の値の決定方法の一例を示す説明図である。
【図６】動画調整回路１４０の動作のタイミングチャートを簡易的に示す説明図である。
【図７】動画調整回路１４０によって出力されたフレーム画像データに応じて液晶パネル１８０上に形成される動画像を視覚的に表した説明図である。
【図８】本実施例における動画像調整処理の効果を示す説明図である。
【図９】中間フレーム数Ｍ＝２の場合における動画調整回路１４０によって出力されたフレーム画像データに応じて液晶パネル１８０上に形成される動画像を視覚的に表した説明図である。
【図１０】本実施例における動画調整設定処理の流れを示すフローチャートである。
【図１１】設定メニュー画面の一例を示す説明図である。
【図１２】動画調整設定画面の一例を示す説明図である。
【図１３】第２実施例における動画調整回路１４０によって出力されたフレーム画像データに応じて液晶パネル１８０上に形成される動画像を視覚的に表した説明図である。
【図１４】第２実施例における動画調整設定処理の流れを示すフローチャートである。
【図１５】第２実施例における動画調整設定画面の一例を示す説明図である。
【符号の説明】
【００９８】
５０…設定回路
５２…パラメータ値設定回路
５４…サンプル画像記憶回路
５６…サンプル画像用メモリ
８０…光源ユニット
９０…投写光学系
１００…動画像表示装置
１１０…映像信号入力回路
１１２…同期分離回路
１１４…Ａ／Ｄ変換回路
１２０…メモリ書込制御回路
１３０…フレームメモリ
１４０…動画調整回路
１６０…拡大縮小回路
１７０…液晶ドライバ
１８０…液晶パネル
１９０…ＣＰＵ
２００…操作パネル
２１０…輝度係数決定回路
２２０…マルチプレクサ
２３０…合成回路
２４０…選択回路
２５０…制御回路
２６０…フィールド識別信号生成回路
２７２…第１ラッチ回路
２７４…第２ラッチ回路
２７６…第３ラッチ回路
【図１】
2007240735.tif 000003
【図２】
2007240735.tif 000004
【図３】
2007240735.tif 000005
【図４】
2007240735.tif 000006
【図５】
2007240735.tif 000007
【図６】
2007240735.tif 000008
【図７】
2007240735.tif 000009
【図８】
2007240735.tif 000010
【図９】
2007240735.tif 000011
【図１０】
2007240735.tif 000012
【図１１】
2007240735.tif 000013
【図１２】
2007240735.tif 000014
【図１３】
2007240735.tif 000015
【図１４】
2007240735.tif 000016
【図１５】
2007240735.tif 000017